【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
第１の記憶装置に記録されたデータを第２の記憶装置に記録する記録手段と、
前記第１の記憶装置のセキュリティー情報と前記第２の記憶装置のセキュリティー情報を比較するセキュリティー情報比較手段と、
前記セキュリティー情報比較手段による比較の結果に基づいて、前記記録手段のデータの記録動作を制御する記録制御手段とを備えることを特徴とする情報処理装置。
【請求項２】
前記記録制御手段は、前記第１の記憶装置のセキュリティー情報と前記第２の記憶装置のセキュリティー情報が一致しないときは、前記記録手段が前記第１の記憶装置のデータを前記第２の記憶装置に記録することを禁止することを特徴とする請求項１記載の情報処理装置。
【請求項３】
前記第１の記憶装置のセキュリティー情報と前記第２の記憶装置のセキュリティー情報が一致しないときに、前記記録動作を行うか否かの指示を要求する指示要求手段と、
前記指示を取得する取得手段とを備え、
前記記録制御手段は、前記取得手段で取得した指示に基づき、前記記録動作を制御することを特徴とする請求項１記載の情報処理装置。
【請求項４】
前記セキュリティー情報比較手段は、前記第１の記憶装置と前記第２の記憶装置がユーザ認証機能を有しているか否かを判別し、
前記セキュリティー情報比較手段により、前記第１の記憶装置は前記ユーザ認証機能を有しているが、前記第２の記憶装置は前記ユーザ認証機能を有していないと判別されたときは、前記記録制御手段は、前記記録手段が前記第１の記憶装置に記録されたデータを前記第２の記憶装置に記録することを禁止することを特徴とする請求項１乃至３のいずれか１項に記載の情報処理装置。
【請求項５】
前記セキュリティー情報比較手段は、前記第１の記憶装置と前記第２の記憶装置のユーザ認証機能が有効に設定されているか否かを判別し、
前記セキュリティー情報比較手段により、前記第１の記憶装置のユーザ認証機能は有効に設定されているが、前記第２の記憶装置のユーザ認証機能は有効に設定されていないと判別されたときは、前記記録制御手段は、前記記録手段が前記第１の記憶装置に記録されたデータを前記第２の記憶装置に記録することを禁止することを特徴とする請求項１乃至４のいずれかに記載の情報処理装置。
【請求項６】
前記セキュリティー情報比較手段は、前記第１の記憶装置のユーザ識別情報と前記第２の記憶装置のユーザ識別情報とが一致するか否かを判別し、
前記セキュリティー情報比較手段により、前記第１の記憶装置のユーザ識別情報と前記第２の記憶装置のユーザ識別情報が一致しないと判別されたときは、前記記録制御手段は、前記記録手段が前記第１の記憶装置に記録されたデータを前記第２の記憶装置に記録することを禁止することを特徴とする請求項１乃至５のいずれ１項に記載の情報処理装置。
【請求項７】
前記セキュリティー情報比較手段による比較の結果を表示する表示手段を備えることを特徴とする請求項１乃至６のいずれか１項に記載の情報処理装置。
【請求項８】
前記データの記録は、前記データの複写であることを特徴とする請求項１乃至７のいずれか１項に記載の情報処理装置。
【請求項９】
記録手段が第１の記憶装置に記録されたデータを第２の記憶装置に記録する記録工程と、
セキュリティー情報比較手段が前記第１の記憶装置のセキュリティー情報と前記第２の記憶装置のセキュリティー情報を比較するセキュリティー情報比較工程と、
記録制御手段が前記セキュリティー情報比較手段による比較の結果に基づいて、前記記録手段の記録動作を制御する記録制御工程とを備えることを特徴とする情報処理方法。
【請求項１０】
コンピュータを、
第１の記憶装置に記録されたデータを第２の記憶装置に記録する記録手段と、
前記第１の記憶装置のセキュリティー情報と前記第２の記憶装置のセキュリティー情報を比較するセキュリティー情報比較手段と、
前記セキュリティー情報比較手段による比較の結果に基づいて、前記記録手段の記録動作を制御する記録制御手段として機能させるためのプログラム。
【手続補正２】
【補正対象書類名】明細書
【補正対象項目名】発明の名称
【補正方法】変更
【補正の内容】
【発明の名称】情報処理装置及び情報処理方法、並びにプログラム
【手続補正３】
【補正対象書類名】明細書
【補正対象項目名】０００１
【補正方法】変更
【補正の内容】
【０００１】
本発明は、情報処理装置及び情報処理方法、及びプログラムに関し、特に、複数の記憶装置を具備する情報処理装置及び情報処理方法、及びプログラムに関する。
【手続補正４】
【補正対象書類名】明細書
【補正対象項目名】０００８
【補正方法】変更
【補正の内容】
【０００８】
本発明の目的は、ユーザによるデータの記憶装置間での移動・複写動作に対して強固な安全性を確保することができる情報処理装置及び情報処理方法、及びプログラムを提供することにある。
【手続補正５】
【補正対象書類名】明細書
【補正対象項目名】０００９
【補正方法】変更
【補正の内容】
【０００９】
上述の目的を達成するために、請求項１記載の情報処理装置は、第１の記憶装置に記録されたデータを第２の記憶装置に記録する記録手段と、前記第１の記憶装置のセキュリティー情報と前記第２の記憶装置のセキュリティー情報を比較するセキュリティー情報比較手段と、前記セキュリティー情報比較手段による比較の結果に基づいて、前記記録手段のデータの記録動作を制御する記録制御手段とを備えることを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】変更
【補正の内容】
【００２７】
請求項１記載の情報処理装置によれば、第１の記憶装置のデータを第２の記憶装置に記録する際に、強固な安全性を確保することができる。
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３８
【補正方法】変更
【補正の内容】
【００３８】
本体装置１００は、ＣＰＵ１０１と、ＲＯＭ１０２と、ＲＡＭ１０３と、入力装置１１０との信号の接続を行う入力装置インターフェース（Ｉ／Ｆ）部１０４と、出力装置１２０との信号の接続を行う出力装置インターフェース（Ｉ／Ｆ）部１００５と、記憶装置１３０〜１６０との信号の接続を行う記憶装置インターフェース（Ｉ／Ｆ）部１０６とを備え、入力装置１１０、出力装置１２０、及び記憶装置１３０〜１６０の制御を行う。本体装置１００は、例えば、パーソナルコンピュータやサーバ等である。
【手続補正３２】
【補正対象書類名】明細書
【補正対象項目名】００４４
【補正方法】変更
【補正の内容】
【００４４】
図２において、記憶装置１３０は、本体装置１００との信号の接続をおこなうインターフェース（Ｉ／Ｆ）部１３１と、不揮発性メモリ１３２と、ディスク記憶媒体１３３とを制御するディスクコントローラ１３４とを備える。なお、不揮発性メモリ１３２は、ディスクコントローラ１３４内に実装されていてもよい。
【手続補正３３】
【補正対象書類名】明細書
【補正対象項目名】００４７
【補正方法】変更
【補正の内容】
【００４７】
図３において、セキュリティー機能付記憶装置１３０は、不揮発性メモリ１３２又はデ
ィスク記憶媒体１３３上に、論理的に分割された３つの領域、即ちディスク管理領域３０
０（セキュリティー情報）、ユーザ情報領域３１０（セキュリティー情報）、及びデータ領域３２０を有する。
【手続補正３４】
【補正対象書類名】明細書
【補正対象項目名】００５５
【補正方法】変更
【補正の内容】
【００５５】
ステップＳ４０２の判別の結果、セキュリティー機能が有効に設定されていないときは、本処理を終了する。
【手続補正３５】
【補正対象書類名】明細書
【補正対象項目名】００６５
【補正方法】変更
【補正の内容】
【００６５】
上述のパスワード認証のスキームには、ハードディスク等の記憶装置のインターフェース規格として広く用いられているＡＴＡ／ＡＴＡＰＩ規格セキュリティー・モード・フィーチャー・セットにて規定されるスキームを利用してもよい。
【手続補正３６】
【補正対象書類名】明細書
【補正対象項目名】００６７
【補正方法】変更
【補正の内容】
【００６７】
図６は、図１の情報処理装置によって実行されるデータ移動・複写処理のフローチャートである。
【手続補正３７】
【補正対象書類名】明細書
【補正対象項目名】００６８
【補正方法】変更
【補正の内容】
【００６８】
図６において、本体装置１００は、ユーザにより入力装置１１０に入力されたデータの移動・複写要求を受領し（ステップＳ６０１）、図５のステップＳ５０１で記憶装置１３０〜１６０認識時にディスク管理領域３００からＲＡＭ１０３上に読み出した記憶装置種別情報３０１を参照し、データの移動・複写元記憶装置がセキュリティー機能付記憶装置であるか否かを判別し（ステップＳ６０２）、データの移動・複写元記憶装置がセキュリティー機能付記憶装置でないときは、データの移動・複写を実行して（ステップＳ６０７）（記録動作）、本処理を終了する。
【手続補正３８】
【補正対象書類名】明細書
【補正対象項目名】００６９
【補正方法】変更
【補正の内容】
【００６９】
ステップＳ６０２の判別の結果、データの移動・複写元記憶装置がセキュリティー機能付記憶装置であるときは、図５のステップＳ５０１で読み出したセキュリティー機能設定情報３０２を参照し、データの移動・複写元記憶装置のセキュリティー機能が有効に設定されているか否かを判別し（ステップＳ６０３）、データの移動・複写元記憶装置のセキュリティー機能が有効に設定されていないときは、データの移動・複写を実行して（ステップＳ６０７）、本処理を終了する。
【手続補正３９】
【補正対象書類名】明細書
【補正対象項目名】００７０
【補正方法】変更
【補正の内容】
【００７０】
ステップＳ６０３の判別の結果、データの移動・複写元記憶装置のセキュリティー機能が有効に設定されているときは、図５のステップＳ５０１で読み出した記憶装置種別情報３０１を参照し、データの移動・複写先記憶装置がセキュリティー機能付記憶装置であるか否かを判別し（ステップＳ６０４）（セキュリティー情報比較手段）、データの移動・複写先記憶装置がセキュリティー機能付記憶装置でないときは、出力装置１２０に図７（ａ）の報知画面を表示し（表示手段）、データの移動・複写を禁止して（ステップＳ６０８）（記録制御手段）、本処理を終了する。
【手続補正４０】
【補正対象書類名】明細書
【補正対象項目名】００７２
【補正方法】変更
【補正の内容】
【００７２】
ステップＳ６０４の判別の結果、データの移動・複写先記憶装置がセキュリティー機能付記憶装置であるときは、図５のステップＳ５０１で読み出したセキュリティー機能設定情報３０２を参照し、データの移動・複写先記憶装置のセキュリティー機能が有効に設定されているか否かを判別し（ステップＳ６０５）、データの移動・複写先記憶装置のセキュリティー機能が有効に設定されていないときは、出力装置１２０に図７（ｂ）の報知画面を表示し、データの移動・複写を禁止して（ステップＳ６０８）、本処理を終了する。